(57)【要約】【課題】  ゴルフクラブの改良に関する技術を提供する。【解決手段】  選択されたゴルフクラブシャフト（１４）をクラブヘッド（１６）及び／又はハンドグリップセグメント（２０）と共に組み立てて、個々のゴルファーの要求及び好みに合わせるためのカスタムクラブデザイン及びカスタムフィットを容易にする一時的シャフト／構成要素結合装置（１２）。一時的シャフト／構成要素結合装置（１２）は、ある一定範囲の異なる長さ及び剛性（しなやかさ）特性を有するグラファイトベースの複合材料などで形成された非金属クラブシャフト（１４）に使用するために特に設計されている。アダプタインサート（２８）は、一対の軸線方向に隔てた位置においてアダプタソケット（３２）に対して機械的に着座して固定され、構成要素間の望ましくない動きを実質的に排除するために、これらの固定点の一方に弾力的で圧縮可能なアンカー部材（５２）が置かれる。
2005533626.tif 000002
【特許請求の範囲】
【請求項１】
ゴルフクラブシャフトを付加的なクラブ構成要素に結合するための一時的結合装置であって、
スラストフランジを形成する細長いアダプタインサートと、
該アダプタインサートを滑り嵌め収容するための大きさ及び形状を有するアダプタソケットと、
を含み、
前記アダプタソケットは、前記アダプタインサートが該アダプタソケット内に摺動的に収容された時に、前記スラストフランジを実質的に着座させて収容するためのスラスト着座部を形成し、
前記アダプタインサート及びソケットは、該アダプタインサートが該アダプタソケット内に摺動的に収容された時に、それらの間の相対的な回転を実質的に防止するための相互係合可能な表面を更に含み、
前記スラストフランジを前記スラスト着座部上に着座させた状態で、前記アダプタインサート及びソケットを取外し自在に相互結合するための第１の結合手段と、
前記スラストフランジ及び前記スラスト着座部から軸線方向に間隔の空いた位置で前記アダプタインサート及びソケット間に置かれた弾力性アンカー部材を含む第２の結合手段と、
を更に含み、
前記アンカー部材は、前記アダプタインサート及びソケットの相対的な動きを実質的に抑制するために、前記スラストフランジが前記スラスト着座部上に着座した時に少なくとも部分的に圧縮される、
ことを特徴とする結合装置。
【請求項２】
前記付加的なクラブ構成要素は、ホーゼルを有するゴルフクラブヘッドを含み、
前記アダプタインサート及び前記アダプタソケットの一方は、前記ホーゼル上にあり、その他方は、前記クラブシャフト上にあることを特徴とする請求項１に記載の一時的結合装置。
【請求項３】
前記アダプタソケットは、前記ホーゼル上にあり、
前記アダプタインサートは、前記クラブシャフト上にある、
ことを特徴とする請求項２に記載の一時的結合装置。
【請求項４】
前記付加的な構成要素は、ゴルフクラブのハンドグリップセグメントを含み、前記アダプタインサート及び前記アダプタソケットの一方は、前記クラブシャフト上にあり、その他方は、前記ハンドグリップセグメント上にあることを特徴とする請求項１に記載の一時的結合装置。
【請求項５】
前記アダプタインサートは、前記クラブシャフト上にあり、
前記アダプタソケットは、前記ハンドグリップセグメント上にある、
ことを特徴とする請求項４に記載の一時的結合装置。
【請求項６】
前記相互係合可能な表面は、前記アダプタインサート上の外側スプラインセグメント、及び前記アダプタソケット内の内側スプラインセグメントを含むことを特徴とする請求項１に記載の一時的結合装置。
【請求項７】
前記第１の結合手段は、前記アダプタインサート及びソケットの一方によって担持されて内ネジ及び内側スラスト肩部を形成する圧縮ナット、及び前記アダプタインサート及びソケットの他方に形成された外ネジを含み、
前記圧縮ナットは、前記スラストフランジを軸線方向に変位させて前記スラスト着座部上に着座係合させるために、前記スラスト肩部を該スラストフランジ及びスラスト着座部の一方に対して強く押すように前記外ネジと螺合的に係合可能である、
ことを特徴とする請求項１に記載の一時的結合装置。
【請求項８】
前記圧縮ナットは、前記アダプタインサートによって担持され、
前記外ネジは、前記アダプタソケット上に形成される、
ことを特徴とする請求項７に記載の一時的結合装置。
【請求項９】
前記アダプタインサート及びソケットの前記一方に逆転防止反動部材を更に含み、
前記逆転防止反動部材は、前記アダプタインサートを前記アダプタソケットから軸線方向に分離するために前記圧縮ナットの螺合を前記外ネジから外す時に、該圧縮ナットによって係合可能である、
ことを特徴とする請求項７に記載の一時的結合装置。
【請求項１０】
前記第１の結合手段は、前記スラストフランジが前記スラスト着座部上に着座した時に、前記アダプタインサート及びソケットを通して取外し自在に締結される固定ピンを含むことを特徴とする請求項１に記載の一時的結合装置。
【請求項１１】
前記第１の結合手段は、前記スラストフランジが前記スラスト着座部上に着座した時に、前記アダプタインサート及びソケット上に取外し自在に装着されるスナップリングを含むことを特徴とする請求項１に記載の一時的結合装置。
【請求項１２】
前記第１の結合手段は、前記スラストフランジが前記スラスト着座部上に着座した時に、前記アダプタインサート及びソケットをその相対的な軸線方向変位に対して固定するための迅速−結合−分離アセンブリを含むことを特徴とする請求項１に記載の一時的結合装置。
【請求項１３】
前記第１の結合手段は、前記スラストフランジを引っ張って前記スラスト着座部上に着座係合させた状態で保持するために前記アダプタインサートに螺合的に結合した固定ボルトを含むことを特徴とする請求項１に記載の一時的結合装置。
【請求項１４】
前記アンカー部材は、前記アダプタソケットに対する軸線方向変位に対して前記アダプタインサートを実質的に拘束することを特徴とする請求項１に記載の一時的結合装置。
【請求項１５】
前記アンカー部材は、前記アダプタソケットに対する回転変位に対して前記アダプタインサートを実質的に拘束することを特徴とする請求項１に記載の一時的結合装置。
【請求項１６】
前記アンカー部材は、前記アダプタソケットに対する軸線方向変位及び回転変位に対して前記アダプタインサートを実質的に拘束することを特徴とする請求項１に記載の一時的結合装置。
【請求項１７】
前記アンカー部材は、前記アダプタソケットの基端部内に着座したほぼ円筒形のブッシュを含み、
前記アダプタインサートは、前記ブッシュ内に滑り嵌め収容させるための先端部を形成する突出端部と、前記スラストフランジが前記スラスト着座部上に着座した時に該ブッシュに対して軸線方向に支持するための支持肩部とを含む、
ことを特徴とする請求項１に記載の一時的結合装置。
【請求項１８】
前記アンカー部材は、前記スラストフランジが前記スラスト着座部上に着座した時に、該スラストフランジ及び該スラスト着座部から少なくとも約１から２インチだけ軸線方向に間隔が空いていることを特徴とする請求項１に記載の一時的結合装置。
【請求項１９】
前記アダプタインサート内に担持された補強プラグを更に含むことを特徴とする請求項１に記載の一時的結合装置。
【請求項２０】
ゴルフクラブシャフトを付加的なクラブ構成要素に結合するための一時的結合装置であって、
ゴルフクラブシャフト及び付加的なクラブ構成要素の一方に装着された細長いアダプタインサートと、
前記ゴルフクラブシャフト及び前記付加的なクラブ構成要素の前記一方によって担持されたスラストフランジと、
前記ゴルフクラブシャフト及び付加的なクラブ構成要素の他方に置かれたソケット部材と、
を含み、
前記ソケット部材は、前記アダプタインサートを滑り嵌め収容するための大きさ及び形状を有するソケットを形成し、該ソケット部材は、更に、該アダプタインサートが該ソケット内に摺動的に収容された時に、前記スラストフランジを実質的に着座収容するためのスラスト着座部を形成し、該アダプタインサート及びソケット部材は、更に、該アダプタインサートが該ソケット内に摺動的に収容された時に、両者間の相対的な回転を実質的に防止するための相互係合可能な表面を含み、
前記スラストフランジを前記スラスト着座部上に着座収容させて保持した状態で、前記アダプタインサート及びソケット部材を取外し自在に相互結合するための結合手段、
を更に含み、
前記結合手段は、前記アダプタインサート及びソケット部材の一方によって担持されて内ネジ及びスラスト肩部を形成する圧縮ナットと、該アダプタインサート及びソケット部材の他方に形成された外ネジとを含み、該圧縮ナットは、前記スラストフランジを軸線方向に変位させて前記スラスト着座部上に着座係合させるために、該スラスト肩部を該スラストフランジ及びスラスト着座部の一方に対して強く押すように該外ネジと螺合的に係合可能であり、
前記アダプタインサート及びソケットの前記一方に置かれた逆転防止反動部材、
を更に含み、
前記逆転防止反動部材は、前記アダプタインサートを前記ソケット部材から軸線方向に分離するために前記圧縮ナットの螺合を前記外ネジから外す時に、該圧縮ナットによって係合可能である、
ことを特徴とする結合装置。
【請求項２１】
前記アダプタインサートは、金属材料で形成されることを特徴とする請求項２０に記載の一時的結合装置。
【請求項２２】
前記スラストフランジは、前記アダプタインサートと一体的に形成されることを特徴とする請求項２０に記載の一時的結合装置。
【請求項２３】
前記付加的なクラブ構成要素は、ホーゼルを有するゴルフクラブヘッドを含むことを特徴とする請求項２０に記載の一時的結合装置。
【請求項２４】
前記アダプタインサートは、前記クラブシャフトの一端上に装着されることを特徴とする請求項２０に記載の一時的結合装置。
【請求項２５】
前記ソケット部材は、前記ホーゼルと一体的に形成されることを特徴とする請求項２３に記載の一時的結合装置。
【請求項２６】
前記ソケット部材は、前記ホーゼル上に装着されることを特徴とする請求項２３に記載の一時的結合装置。
【請求項２７】
前記アダプタインサート及び前記ソケット部材上に形成された相互係合可能なテーパ付き表面を更に含むことを特徴とする請求項２０に記載の一時的結合装置。
【請求項２８】
一時的結合装置であって、
結合手段が、アダプタインサート及びソケット部材の一方により担持されて内ネジ及びスラスト肩部を形成する圧縮ナット、及び該アダプタインサート及びソケット部材の他方に形成された外ネジを含み、
前記圧縮ナットは、スラストフランジを軸線方向に変位させてスラスト着座部上に着座係合させるために、前記スラスト肩部を該スラストフランジ及びスラスト着座部の一方に対して強く押すように前記外ネジと螺合的に係合可能である、
ことを特徴とする結合装置。
【請求項２９】
前記圧縮ナットは、前記ゴルフクラブシャフトによって担持され、
前記外ネジは、前記ソケット部材上に形成される、
ことを特徴とする請求項２４に記載の一時的結合装置。
【発明の詳細な説明】
【技術分野】
【０００１】
本発明は、一般的にゴルフクラブの改良に関する。より具体的には、本発明は、個々のゴルファーの要求や好みに合わせるためのカスタマイズされたゴルフクラブ構成を容易にするための、ゴルフクラブシャフトとクラブヘッド及び／又はハンドグリップセグメントのような付加的なクラブ構成要素との間の改良された一時的結合装置に関する。この構成を用いることにより、複数のクラブヘッド及び／又は複数のハンドグリップセグメントを１つ又はそれ以上のクランクシャフトに取り付けることができ、これらの構成要素は、実際のプレー条件を通してゴルファーが試打及び試験することができる異なる特性を示すことができる。従って、個々のゴルファーの要求や好みに合わせるためのカスタマイズされたゴルフクラブの構成が容易になる。
【背景技術】
【０００２】
ゴルフクラブは、細長いクラブシャフトの下端部に装着されたウッドタイプ又はアイアンタイプのようなクラブヘッドを含むことが当業技術で公知である。クラブシャフトは、その上端部に装着された弾性グリップを有し、この弾性グリップは、手で心地よく握り、ゴルフボールを打つためにゴルフクラブをスイングすることができるように設計される。今日のゴルフクラブにおいては、ウッドタイプ又はアイアンタイプのクラブヘッドは、一般的に、ステンレス鋼及びチタン合金などのような鋳造又は鍛造された金属又は金属合金で形成される。クラブシャフトは、歴史的には、選択された金属又は金属合金で形成されてきたが、より最近のゴルフクラブ設計は、グラファイトベース複合材などのような複合材料で形成された非金属製クラブシャフトを組み込んでいる。そのようなグラファイトベースの複合クラブシャフト材料によってもたらされる１つの利点は、クラブシャフトの硬さ又は柔軟性（しなやかさ）の特性を個々のゴルファーの好みや技量レベルに応じて様々に選択することができるということである。つまり、ある一定範囲の異なるしなやかさ特性を有するクラブシャフトの選択肢をゴルファーに提供することにより、ゴルファーは、自分のゴルフクラブセットをカスタマイズして調整することができる。
【０００３】
過去においては、クラブシャフトの異なる硬さ及び長さのような異なる物理特性を有するゴルフクラブをカスタムフィットさせるために、ゴルフショップは、ゴルファーによる試打のために多数の見本クラブを抱えておく必要があった。より具体的には、ゴルフショップは、各ゴルフクラブヘッドに対して、ゴルファーによる試打のためにそれぞれ異なる物理特性を有するクラブシャフトに結合した特定銘柄及び種類の複数の見本クラブヘッドを抱えておくことが必要であった。例えば、任意の特定ドライバ又は他のウッドタイプクラブヘッド銘柄に対して、又は任意のアイアンタイプ又はパタークラブヘッド銘柄に対して、あらゆるゴルファーの好みに応じて、各ゴルフクラブをカスタムフィットさせるための意味のある選択肢を提供するために、ゴルフショップは、比較的多数の異なる見本クラブを抱えておく必要があった。従って、ゴルフショップが極めて多数の見本クラブを抱えていない限り、ゴルファーが多数の異なるクラブシャフト／ヘッドの組合せを試打及び試験することはできなかった。その結果、個々のゴルファーに対するゴルフクラブのカスタムフィットに関しては、一般的に、ゴルファーには、シャフト／ヘッド組合せの真に広い選択肢は提供されず、従って、カスタマイズして調整したクラブの最適な選択肢は、ゴルファーにはもたらされなかった。
【０００４】
これまでは、複数のクラブシャフトと複数のクラブヘッドとを交換自在に迅速かつ容易に装着することを可能にし、かつ個々のゴルファーが組み立てられたクラブを実際のプレー条件の下で試打することを可能にするような実用的で実現可能な相互結合は利用可能ではなかった。この点に関しては、ゴルフクラブシャフトとクラブヘッドとを交換自在に装着するための従来の概念は、ネジ付きボルト又は螺合装着装置を利用してきたが、これらは、特にクラブがゴルフボールを叩く普通のクラブ使用に際して生じる大きな衝突及び衝撃力をこれらの構成要素が受ける時に、組み立てられた構成要素間に望ましくない程度の動きを示してきた。
【０００５】
典型的なクラブシャフトの上端部に装着される弾性ハンドグリップも、個々のゴルファーの要求や好みに合わせるために、デザイン及びゴルフクラブのカスタムフィットにおける変数を含む。つまり、弾性ハンドグリップは、比較的広い範囲の異なる直径サイズ、トレッドパターン、及びエラストマー又は他の柔らかくて馴染みやすい材料で入手可能である。ハンドグリップサイズの選択は、少なくとも部分的にはゴルファーの手の大きさに依存し、大きなグリップ径は、大きな手を持ったゴルファーに好ましいのが普通である。ハンドグリップのトレッドパターン及び／又はハンドグリップ材料の柔らかさ又は粘着度は、個々のゴルファーの好みに応じて大きく変わるであろう。
【０００６】
本発明は、クラブヘッド及び／又はハンドグリップセグメントのような少なくとも１つの付加的なクラブ構成要素をゴルフクラブシャフトに確実かつ安定的に装着するための一時的結合装置を使用し、それによって広範囲のシャフト／構成要素組合せのいずれか１つの迅速かつ容易な一時的組立てを可能にし、従って、ゴルフショップが試打のために極めて多数の異なる見本ゴルフクラブを抱える必要なく、ゴルフクラブセットのカスタムフィットを通じて実際のプレー条件の下で試打するための広範囲のシャフト／構成要素組合せを個々のゴルファーに提供することができる、改良された多用途のゴルフクラブカスタムフィットシステム及び方法に関する。個々のゴルファーがいずれかの特定ゴルフクラブに対する特定のシャフト／構成要素組合せを判断すると、クラブシャフトに対して永久的に結合した選択されたクラブヘッド及び選択されたハンドグリップなどを用いて、次にゴルフクラブを製造することができる。
【発明の開示】
【０００７】
本発明によれば、個々のゴルファーの要求や好みに合わせるためのゴルフクラブのカスタマイズされた選択及びカスタムフィットに対して、一時的なシャフト／構成要素結合装置及び関連システム及び方法が提供され、一時的シャフト／構成要素結合装置は、選択されたゴルフクラブシャフトとクラブヘッド及び／又はハンドグリップセグメントのような選択されたゴルフクラブ構成要素とを迅速かつ容易に組み立てるために設けられる。この一時的シャフト／構成要素結合装置は、各々がある一定範囲の異なる選択肢から選択されたシャフト、クラブヘッド、及び／又はハンドグリップセグメントを有するカスタマイズされたゴルフクラブの構成を可能かつ容易にし、組み立てられたゴルフクラブは、必要に応じて実際のプレー条件の下で個々のゴルファーによって使用及び試験することができる。ゴルファーが複数のクラブ構成要素の各々を最終的に選択した時、従来のように永久的に結合した構成要素を備えたカスタマイズされたゴルフクラブを製造することができる。
【０００８】
一般的に、一時的シャフト／構成要素結合装置は、アダプタソケット内に滑り嵌めで収容されるアダプタインサートを含み、アダプタインサート及びソケットは、両者間の相対的回転を最少化又は制限するためにスプラインのような互いに係合する平坦な表面を含む。アダプタインサートは、一対の軸線方向に間隔の空いた位置においてアダプタソケットに対して機械的に着座して固定され、弾性圧縮可能アンカー部材が、構成要素間の望ましくない動きを実質的に排除するためにこれらの固定点の一方又は両方に置かれる。
【０００９】
好ましい形態では、一時的シャフト／構成要素結合装置は、特に、ある一定範囲の異なる長さ及び硬さ（しなやかさ）特性を有するグラファイトベース複合材料などで形成された非金属製クラブシャフトのようなクラブシャフトの一端上にエポキシなどによって装着するための選択された金属などのような補強材料で形成された、ほぼスリーブ状構成を有するアダプタインサートを含む。このアダプタインサートは、細長い長さを有し、ソケットに結合されるクラブヘッド又はハンドグリップセグメントのようなゴルフクラブ構成要素上の全体的に嵌め合い形状に作られたアダプタソケット内への軸線方向の滑り嵌め収容に対する大きさ及び形状を有する。アダプタインサート及びソケット上の互いに係合する平坦面又はスプラインは、それらの間のかなりの相対的回転を防止する。好ましい形態では、アダプタソケットは、クラブヘッドホーゼル内に着座するように収容するか、又は菅状ハンドグリップセグメントの開放端内に着座するように収容するなどにより隣接構成要素上に装着される菅状ソケット部材を含む。
【００１０】
アダプタインサートは、アダプタソケットの開放端に形成された環状面のようなスラスト着座部に対して着座して支持するように係合するための、アダプタインサートのほぼ近位端又は近位端の近くに形成された半径方向に拡大したスラストフランジを含む。アダプタインサートをアダプタソケットと確実に相互結合させるために圧縮ナットのような固定部材が設けられ、スラストフランジをソケットスラスト着座部と固定着座した関係で軸線方向に保持する。代替の固定部材を使用することもできる。
【００１１】
アダプタインサートは、アダプタソケットの基端部内に装着された圧縮可能ブッシュのような弾性アンカー部材に着座して支持する係合のための遠位先端部つまり突出部を更に含む。好ましい形態では、アダプタインサートの突出部と弾性アンカー部材とは、スラストフランジがアダプタソケットのほぼ反対側の開放端にあるスラスト着座部上に確実に着座して保持された時に、アンカー部材を少なくとも部分的に圧縮するための嵌め合い係合可能な表面を含む。
【００１２】
この構成を用いることにより、アダプタインサートは、アダプタインサートとソケットの実質的な長さだけ、好ましくは、少なくとも約１〜２インチだけ軸線方向に間隔の空いた２点でアダプタソケットに対して確実かつ密接に結合され、それによって確実かつ安定な２点結合を形成し、この結合は、このように組み立てられたゴルフクラブを通常のプレー条件の下で使用することができると同時にゴルファーに通常の頑丈なクラブの感触をもたらすように、大きな又は検地可能なぐらつき又は他の構成要素間の動き又は遊びなしに、クラブシャフトと、クラブヘッド又はハンドグリップセグメントのような相互結合した構成要素とを支持する。弾性アンカー部材は、相互結合した構成要素間のいかなる寸法的許容値の変動にも適応するために十分に圧縮性であり、一方、組み立てられたゴルフクラブの使用中の望ましくないぐらつき又は他の構成要素間の動き又は遊びを実質的に排除するために、十分な構造的剛性及び硬さを提供する。
【００１３】
各実施形態では、クラブシャフトは、アダプタインサートをアダプタソケットから引っ込めることができるように固定部材を分離することにより、関連のクラブヘッド及び／又はハンドグリップセグメントから迅速かつ容易に分解される。このような分解は、同じクラブシャフトを異なる物理特性を有する別のクラブヘッド及び／又は別のハンドグリップセグメントと迅速かつ容易に組み立て直すこと、及び／又は異なるクラブシャフトを同じ又は異なるクラブヘッド及び／又はハンドグリップセグメント構成要素と組み立て直すことを容易にする。このようにして、ゴルフショップが多数の見本クラブを保有する必要なく、ゴルファーは、ゴルフクラブのセットをカスタムフィットさせるために、多数の異なるシャフト／ヘッド／ハンドグリップセグメントの組合せで短期間内にスイング及びプレーの試験を行うことができる。
本発明の他の特徴及び利点は、本発明の原理を例示的に示す添付図面を参照して進める以下の詳細説明から一層明らかになるであろう。
添付の図面は、本発明を説明するものである。
【発明を実施するための最良の形態】
【００１４】
典型的な図面に示すように、図１において全体的に参照符号１０で示すゴルフクラブは、細長いクラブシャフト１４の下端部をゴルフクラブヘッド１６に迅速かつ容易に相互結合するための改良されたシャフト／ヘッド一時的結合装置１２を備えている。これに加えて、ゴルフクラブ１０は、細長いクラブシャフト１４の上端部をハンドグリップセグメント２０に迅速かつ容易に結合するための改良された一時的結合装置１８を備えており、ハンドグリップセグメント２０上には、選択されたデザインのクッション付き又は弾力的ハンドグリップ２２が取り付けてある。これらの一時的シャフト／構成要素結合装置１２及び１８は、選択されたデザイン特性を有するクラブシャフト１４と、同じく選択されたデザイン特性を有する選択されたクラブヘッド１６及び／又は選択されたデザイン特性を有する選択されたハンドグリップセグメント２０との迅速かつ容易な組立及び分解を可能にするために、ゴルファーは、比較的短い期間内に比較的多数の異なるクラブの組合せでスイング及びプレーを試験することができ、ゴルフショップも、過度に多数のサンプルクラブを抱えておく必要がない。このように、一時的シャフト／構成要素結合装置１２及び１８は、個々のゴルファーの要求や好みに合わせるために、ある一定範囲の異なるクラブシャフト及び／又はある一定範囲の異なるクラブヘッド及びハンドグリップセグメントからゴルフクラブのセットをカスタムフィットさせることを可能かつ容易にするゴルフクラブカスタマイズシステム及び方法を提供する。
【００１５】
図１に示す例示的なゴルフクラブ１０は、全体的に従来の構造を有しており、クラブヘッド１６に結合した細長いクラブシャフト１４を含む。クラブヘッド１６は、クラブヘッド１６の後端部からほぼ上向きに延びるように形成されたホーゼル２４にクラブシャフト１４の下端部を嵌合させることによってクラブシャフト１４に結合される。この点に関して、図１及び２は、ゴルフボール（図示せず）を打つための前方ボール打撃面２６を有するウッドタイプのクラブヘッド１６を示す。今日のゴルフクラブ構造によれば、ウッドタイプヘッド１６は、いわゆる金属ウッドクラブヘッドを含み、金属ウッドクラブヘッドは、一般的に、ステンレス鋼やチタン合金などのような選択された鋳造又は鍛造金属又は合金で形成された中空ヘッド構造を含む。アイアンタイプのクラブヘッドのような別の種類のクラブヘッド及びパターなどを使用することもできる。
【００１６】
クラブシャフト１４は、以下で一層詳細に説明するように、クラブヘッド１６に結合するための下端部からハンドグリップセグメント２０に結合するための上端部まで延びる細長い構造、及び一般的に中空菅状構造を有する。今日の多くのゴルフクラブにおいては、クラブシャフト１４は、一般的に「グラファイト」シャフトと呼ばれるカーボン又はグラファイトベースの複合材料などのような非金属材料で形成され、これらのグラファイトシャフトは、個々のゴルファーの要求や好みに合わせるために、長さ及び剛性又は柔軟性（しなやかさ）のようなある一定範囲内の異なる物理的特性を持たせて製造することができる。この点に関して、特定ゴルファーのためにゴルフクラブのセットをカスタムフィットさせる場合、ゴルファーは、異なる物理特性を有するいくつかの異なるクラブシャフトの中から特定の好ましい物理特性を有するクラブシャフト１４を選択するのが普通である。同様に、ゴルファーは、全体の大きさ、重量及び重量分布、及びヘッド材料などのような異なる物理特性を有するいくつかの異なるクラブヘッドの中からクラブヘッド１６を選択するのが普通である。同様に、ゴルファーは、例えば、異なる直径サイズに形成されるか、又は異なるクッション材料又は異なる特定トレッドパターンを持たせて形成されたいくつかの入手可能な異なるハンドグリップの中からハンドグリップ２２を選択するのが普通である。
【００１７】
一般的に、本発明の一時的シャフト／構成要素結合装置１２及び１８は、１つ又はそれ以上のゴルフクラブを個々のゴルファーに合わせてカスタムフィットさせる際に、ゴルファーが、好ましいシャフト／ヘッド及びシャフト／グリップの組合せを選択することを可能かつ容易にするために提供される。一時的結合装置１２及び１８は、ゴルファーが組み立てられたクラブ１０を実際にスイングすることにより、また、例えば、通常のラウンドのような実際のプレー条件の下でそのクラブを使用することによって試験することができるように、特定シャフト／ヘッド組合せの迅速かつ容易な組立て、及び／又は関連する特定シャフト／グリップ組合せの迅速かつ容易な組立てを可能にするように設計されている。特定のクラブ組合せを試験した後で、組み立てられたクラブ構成要素は、同じゴルファーが更に試打することができるように又は他のゴルファーが試打することができるように、１つ又はそれ以上の異なる構成要素と取り替えて組み立て直せるように迅速かつ容易に分解することができる。
【００１８】
従って、本発明のカスタムクラブフィットシステム及び方法を使用した場合、ゴルファーは、比較的短期間内に比較的多数の異なるシャフト／ヘッド及びシャフト／グリップ組合せでスイング及びプレーを試験することができ、ゴルフショップも、極度に多数の異なるサンプルクラブを抱えておく必要がない。ゴルフショップは、ある一定範囲の異なる物理特性を有する一組のクラブシャフト１４と、例えば、ある一定範囲の異なるいわゆるウッドタイプヘッド、ある一定範囲の異なるいわゆるアイアンタイプヘッド、及び１つ又はそれ以上のパターヘッドなどを含む一組のクラブヘッド１６とを店に置いておくだけでよい。更に、ゴルフショップは、ある一定範囲の異なるハンドグリップ２２を取り付けた複数のハンドグリップセグメント２０を店に置いておくだけでよい。所定のゴルフクラブタイプ、例えばドライバに対する適切な構成要素の試験後に、個々のゴルファーが好ましい一組のクラブ特性に到達した時、その好ましい一組の特性を有するカスタムフィットされたゴルフクラブは、従来の恒久的シャフト／ヘッド結合装置を用いて組み立てることができ、また、選択されたハンドグリップをシャフト上に取り付けることができる。しかし、重要なことは、試験中に、一時的シャフト／構成要素結合装置１２及び／又は１８を用いて組み立てられた試験用クラブを実際のプレー条件の下で使用し、組み立てられたゴルフクラブ構成要素間に実質的にいかなる大きな又は検知可能な望ましくないぐらつき又は動きもなく、製造時のカスタムフィットクラブとしての「感触」及びプレー機能性を提供することができることである。
【００１９】
図２〜４は、本発明の好ましい一形態によるシャフト／ヘッド一時的結合装置１２を一層詳細に示す。図に示すように、グラファイトシャフトのようなクラブシャフト１４の下端部は、ほぼ円形の断面形状を有し、スリーブ状のアダプタインサート２８の開放上端部内に滑り嵌めされる。クラブシャフト１４は、アダプタインサート２８内への滑り嵌めを容易にするために、直径を僅かに減じた遠位端を形成する面取りされた段部１５を含むことができる。アダプタインサート２８は、適切な硬い又は頑丈な支持材料、好ましくは、アルミニウム、ステンレス鋼、チタン又はチタン合金などのような金属材料で形成され、従来のエポキシ又は他の適切な接着剤などによってシャフト１４の下端部に固定される。クラブシャフト１４が円筒形又は菅状に形成されている場合は、補強プラグ１３（図４において破線で示す）をクラブシャフト１４内に圧入するか又は接着し、クラブシャフト１４を埋めて特に面取り段部１５の領域において補強することができる。金属、プラスチック、エポキシなどで中実又は菅形状を有するように形成することができる補強プラグ１３は、シャフトのしなり特性を妨げることを避けるために、好ましくは、面取り段部１５の僅かに上方にあり、組み立てられた結合装置１２の僅かに下方の位置で終端する。
【００２０】
スリーブ状のアダプタインサート２８は、外側平坦部又は図３に最も良く示されているようなスプライン状などの他の適切な非円形断面形状を形成した下方外側部分３０を有する。この下方インサート部分３０は、菅状ソケット部材３４の形態で図３及び４に最も良く示されているアダプタソケット又はソケット部材３２内に滑り嵌めされて着座収容されるような大きさ及び形状に作られ、菅状ソケット部材３４は、内側平坦部を形成するか、又は対応する他の形状つまり例示した内側スプライン３６（図３）のような適切な非円形断面形状を形成する。アダプタソケット部材３４は、クラブヘッド１６の上向きに開放したホーゼル２４内に滑り嵌め収容することができる大きさ及び形状に作られ、従来のエポキシ又は他の適切な接着剤などによりホーゼル２４内で確実に固定される。代替的に、ホーゼル２４の一体的部分としてソケット部材３４を形成し、内側スプライン３６又は他の内側平面をホーゼルの内側に一体的に形成することができるということも当業者は認識かつ認めるであろう。重要なことは、アダプタインサート２８がアダプタソケット３２内に軸線方向に滑り嵌め収容された時、スプライン３０及び３６、又は他の適切な嵌め合い平面などは、アダプタインサート２８及びこれに結合したクラブシャフト１４をアダプタソケット３２及びこれに結合したクラブヘッド１６に対していかなる有意な回転もしないように固定する働きをするということである。
【００２１】
例示的なアダプタインサート２８は、下方スプラインセグメント３０から上向きに延びるほぼ円筒形の上端部分３８を更に含み、この上端部分３８は、アダプタインサート２８がアダプタソケット３２内に滑り嵌めされて組み立てられた時、アダプタソケット３２の上端部に形成された環状スラスト着座部４２上に確実かつ安定的に軸線方向に着座するように置かれた半径方向外向きに突出したスラストフランジ４０を含む。圧縮ナット４４の形態で示す固定部材は、アダプタインサート２８のこの上端部分３８上に滑り嵌めされ、アダプタソケット３２の上端にある外ネジつまり雄ネジ４８上に螺合結合するための内ネジつまり雌ネジ４６を含む。これに関して、アダプタソケット３２が、クラブヘッドホーゼル２４内に取り付けられたソケット部材３４を含む時、雄ネジ４８は、半径方向に拡大した上方肩部分４９上に形成され、この上方肩部分４９は、ホーゼル２４の軸線方向上端に着座するような大きさに作られた下端部を有する。ソケットネジ４８上への圧縮ナット４４の螺合結合は、スラストフランジ４０をその下方にあるアダプタソケット３２のスラスト着座部４２上に確実に着座させて密接に保持するために、内側スラスト肩部又は係合面５０をナット４４内で軸線方向に移動し、アダプタインサート２８上のスラストフランジ４０と係合させる。
【００２２】
更に、アダプタソケット３２の下方には、円筒形ブッシュの形態で示す馴染み易い部分的に圧縮可能なアンカー部材５２が置かれ、このアンカー部材５２は、アダプタインサート２８の遠位先端部つまり突出部と係合して第２の結合点を形成するように構成され、この第２の結合点は、相互結合した構成要素の構造的剛性及び一体性を大いに増強し、特にシャフト１４とクラブヘッド１６をこれら両者間に望ましくないぐらつき又は遊びなしに相互結合した状態で保持する。これに関して、ブッシュ５２は、少なくとも幾らかの弾性又は圧縮性を有する材料で好ましい形態に構成され、従って、許容値変動に適応し、軸線方向に間隔の空いた２つの点、つまりスラストフランジ４０において及びアダプタインサート２８の突出部とブッシュ５２との係合点においてアダプタインサート２８を密接に保持することができる。同時に、ブッシュ５２は、緊密で実質的にぐらつきのない相互結合を維持するために、十分な構造的剛性を有する。好ましい一形態では、アンカー部材つまりブッシュ５２は、成形ウレタンプラスチックで形成される。好ましい構成では、アダプタインサート２８の突出部とブッシュ５２との係合点は、スラストフランジ４０から少なくとも約１〜２インチの距離だけ軸線方向に間隔が空いている。
【００２３】
より具体的には、図３及び４に見られるように、ブッシュ５２は、中央空洞５４を有するほぼ円筒形の構成要素を含む。アダプタインサート２８の突出部は、ブッシュ空洞５４内に密接に滑り嵌め収容することができるような大きさ及び形状を有する軸線方向に突出したピン５６を含み、このピン５６は、アダプタインサート２８の端部にある軸線方向係合面５８から軸線方向に突出する。アダプタインサート２８がアダプタソケット３２内に十分に挿入されて、スラストフランジ４０がスラスト着座部４２上で密接に保持された時、アダプタインサートの先端部５６は、ブッシュ空洞５４内に密接に着座し、これと関連した係合面５８は、ブッシュ５２上の軸線方向係合面と軸線方向に密接に係合する。最も好ましい形態では、この位置において、アダプタインサート２８上の係合面５８は、ブッシュ５２と係合してこれを少なくとも僅かに圧縮し、それによってアダプタインサート２８とアダプタソケット３２との間に安定かつ確実な第２の結合点を形成する。
【００２４】
従って、一組の特定の物理特性を備えた選択されたクラブシャフト１４は、選択されたクラブヘッド１６と迅速かつ容易に組み立てられる。アダプタインサート２８は、アダプタソケット３２に対して回転しないように固定され、スラストフランジ４０の結合及びアダプタソケット３２に対するアダプタ先端部５６の結合という二点結合は、クラブをスイングしてボールを打つ時に加わる潜在的に大きな力にも関わらず、いかなる大きな又はプレーヤーが検知可能な構成要素間のぐらつき又は動きもない安定かつ確実な構成要素間結合装置を提供する。試験した後に、アダプタインサートをアダプタソケット３２から引き離すことができるように圧縮ナット４４の螺合をアダプタソケット３２から外すことにより、構成要素は、迅速かつ容易に分解することができる。この点に関して、スナップリングなどのような逆転防止又は反動リング６０をスラストフランジ４０の上方位置において、アダプタインサート２８の円筒形上端部分３８上に形成された溝６２内に着座させることができ、リング６０は、アダプタインサート２８をアダプタソケット３２から物理的に引き抜くための螺合を外す動きをする時、圧縮ナット４４によって軸線方向に係合される。このように、特定のシャフト／ヘッド組合せは、迅速かつ容易に分解することができ、その後、クラブヘッドを異なる物理特性を有する別のクラブシャフトと組み立て直し、及び／又はクラブシャフトを異なるクラブヘッドと組み立て直すことができる。
【００２５】
図１〜４に示すようなシャフト／ヘッド一時的結合装置１２に対する様々な修正及び改良形態は当業者には明らかであろう。図５〜１７は、そのような修正及び改良形態をいくつか示すが、そのような代替実施形態は、本明細書に開示された本発明の範囲を限定するものではないということが認識かつ理解されるであろう。例えば、アダプタインサート２８の突出部とアダプタソケット３２の底端部との弾力的又は圧縮可能な結合は、アダプタインサートの突出部をアダプタソケット３２に対して軸線方向又は半径方向に大きく変位しないように保持するために、ある一定範囲の異なる実質的に嵌合した構成を有する様々な異なる機械的構造によって達成することができるということを当業者は認めるであろう。同様に、スラストフランジ４０をアダプタソケット３２のスラスト着座部４２上に密接に保持するために、様々な異なる固定部材及び機構を使用することができることを当業者は理解するであろう。
【００２６】
更に別の特定の例証及び実施例として、図５〜１５は、ゴルフクラブヘッドをクラブシャフトに取外し自在に一時的に取り付けるための変更されたシャフト／ヘッド結合装置を全体的に示している。これに対して図１６及び１７は、クラブシャフトの上端部をハンドグリップセグメントと結合するための典型的な一時的結合装置１８を示しており、例示的な結合装置１８は、図３及び４に示して説明したシャフト／ヘッド結合装置１２に対応している。しかし、図１〜１５に示すシャフト／ヘッド結合装置のいずれもシャフト／ハンドグリップセグメント結合装置として使用するために用いることができることが理解され、かつ認められるであろう。更に、図１〜１７に示す様々な開示された実施形態は、クラブシャフトを隣接するヘッド又はハンドグリップセグメントに確実かつ安定的に一時的に結合するための望ましい２点結合をもたらす互換性という特徴を有することが認識されるであろう。
【００２７】
図５〜１５に示すシャフト／ヘッド結合装置の実施形態に関して、図１〜４に示して説明したのと同じ構成要素は、同じ参照符号で示されており、図１〜４に示す構成要素からは変更されているが構造又は機能に関して類似した構成要素は、同じ参照符号に１００を加えた参照符号で示されている。
図５及び６は、本発明の１つの好ましい代替形態を示しており、圧縮ナット４４と雄ネジ４８の相対的な位置は、アダプタインサート及びアダプタソケットに対して逆である。より具体的には、図に示すように、変更アダプタインサート１２８は、クラブシャフト１４の下方端部上に装着され、その遠位端つまり突出部に突出ピン５６及び下方スプラインセグメント３０を含む。スプラインセグメント３０は、内側スプライン３６が形成された変更ソケット部材１３４により形成された変更アダプタソケット１３２内に滑り嵌めされるように構成される。アダプタインサート１２８の突出部にあるピン５６は、上述のブッシュ５２のような弾力的アンカー部材に着座係合するような大きさ及び形状に作られる。
【００２８】
アダプタソケット１３２の上端部は、アダプタインサート１２８上に形成された下向きのスラストフランジ１４０を確実かつ安定的に着座保持するための上向きのスラスト着座部１４２を形成するために半径方向外向きに拡大されている。この実施形態では、スラストフランジ１４０の上方部分は、アダプタインサートの一部として形成されかつ外ネジ４８が形成された半径方向に拡大された肩部分１４９に合併する。圧縮ナット４４は、図３及び４の実施形態とは逆にされるので、雌ネジ４６が雄ネジ４８に螺合される時、圧縮ナット４４内の内側スラスト肩部５０は、拡大されたスラスト着座部１４２の下面と係合し、スラストフランジ１４０を下向きに引き下げてスラスト着座部１４２と密接に着座係合させる。
【００２９】
図７は、圧縮可能アンカー部材５２及びこれに関連したアダプタインサート２８の突出部の構成が変更されている点を除けば図３及び４に示す実施形態とほぼ対応した別の代替実施形態を示す。このバージョンでは、アダプタインサート２８の遠位先端つまり突出部は、アダプタソケット３２の底部又は基部に取り付けられた馴染み易いディスクの形態を有する変更アンカー部材２５２と圧接係合するための比較的平坦な先端部２５６を形成する。圧縮ナット４４がアダプタソケット３２の上端部に形成された雄ネジ４８上に螺合した時、スラストフランジ４０をスラスト着座部４２上で密接に保持するために、アダプタインサート２８の先端部２５６は、これとアダプタソケット３２の底部との間の相対的な動きを実質的に取り除くために、ディスク２５２と密接係合してこれを少なくとも部分的に圧縮する。代替的に、この実施形態及び他の実施形態では、馴染み易いアンカー部材は、アダプタソケットの基端部又は底端部と係合するようにアダプタインサートの突出部で支持することができる。
【００３０】
図８は、圧縮可能アンカー部材及びこれに関連したアダプタインサートの突出部に異なる変更形状を与えた点を除けば図３及び４に示す実施形態とほぼ対応した更に別の代替実施形態を示す。この概念においては、アダプタインサート２８の突出部は、アダプタソケット３２の底端部又は基端部に装着された変形アンカー部材３５２の一部分として形成された直立ピン３５６を密接に滑り嵌め収容することができるような大きさ及び形状を有する軸線方向に突出したスリーブ３５を備えるように変更されている。アダプタインサート２８がアダプタソケット３２内に収容されて、圧縮ナット４４がスラストフランジ４０をスラスト着座部４２上で密接に保持した時、ピン３５６は、これと突出スリーブ３５との間の相対的な動きを実質的に取り除くために、インサート２８上のスリーブ３５内に密接に収容される。
【００３１】
図９及び１０は、アダプタインサート２８のスラストフランジ４０をアダプタソケット３２のスラスト着座部４２上で密接固定するために異なる固定手段が設けられている点を除けば、図３及び４と同様の本発明の変更を示している。本発明のこのバージョンでは、圧縮ナット４４は省かれ、代わりに固定クリップ４４４が使用される。より具体的には、図９に見られるように、スラストフランジ４０がスラスト着座部４２上に着座して、突出ピン５６が馴染み易いブッシュ５２と係合した時、アダプタインサート２８、アダプタソケット３２、及びこれらに関連したホーゼル２４は、これらの構成要素を貫通して形成された固定孔７０を含む。金属製バネクリップ（図１０）のような固定クリップ４４４は、スラストフランジ４０がスラスト着座部４２上で密接に保持された望ましい位置でアダプタインサート２８を保持するために、固定孔７０を貫通して滑り嵌めするための第１の脚部４４４ａと、固定クリップを定位置において保持するためにホーゼル２４を部分的に取り囲む形状に作られた第２の脚部４４４ｂとを有する。組み立てられた構成要素から固定クリップ４４４を手動的に抜き取ることにより、迅速かつ容易な分解が可能となり、次に、上述のように異なるクラブヘッド１６に対するシャフト１４、又は、逆に、異なるシャフト１４に対するクラブヘッド１６の迅速かつ容易な再組立てが可能になる。ホーゼル２４の周りに取外し自在に取り付けられ、アダプタインサート２８を軸線方向に固定して定位置に保持するためにホーゼル及びアダプタソケットの半径方向に開いた溝を通じて係合可能なほぼＵ字形状の固定クリップのような代替の取外し自在固定クリップの概念を使用することもできる。
【００３２】
図１１及び１２は、アダプタインサート２８のスラストフランジ４０をアダプタソケット３２のスラスト着座部４２上に取外し自在に固定保持するための別の代替固定手段を示す。このバージョンでは、アダプタソケット３２の上端部は、アダプタインサート２８上に形成されたスラストフランジ４０をその上に着座収容するための上向きスラスト着座部４２を形成するために半径方向外向きに拡大されている。圧縮ナット４４（図３及び４）は省かれ、その代わりにスナップリング５４４が使用され、このスナップリング５４４は、スラストフランジ４０とスラスト着座部とを実質的に締め付けて係合させ、アダプタインサートとアダプタソケットとを組み立てられた状態で軸線方向に保持するためにスナップフィットすることができるような大きさ及び形状を有する。この点に関して、好ましいスナップリング５４４は、スラストフランジ４０の周囲部の周りに密接装着することができる大きさを有するほぼ円筒形の中央壁７２と、スラストフランジ４０をスラスト着座部４２上で軸線方向に固定するために、上向きかつ半径方向内向きに延びる上方固定壁部分７４及び下向きかつ半径方向内向きに延びる下方固定壁部分７６とを含む。スナップリング５４４は、１つの組立工程として定位置にスナップフィット又はクランプ締めすることができ、構成要素を分解したい場合は、適切に除去することができる。
【００３３】
図１３及び１４は、本発明の更に別の代替形態を示しており、アダプタインサート２８のスラストフランジをアダプタソケット３２のスラスト着座部上で取外し自在に保持するための変更固定手段が設けられる。この実施形態では、図３及び４の圧縮ナット４４は省かれ、その代わりに迅速−結合−分離カプリング６４４が使用される。より具体的には、カプリング６４４は、アダプタソケット３２上に装着された軸線方向に移動可能なスリーブ８０を含み、このスリーブ８０は、バネ８２により常態前進位置に常時付勢され、固定ボール８４のアレイを半径方向内側位置（図１３）に向けて強く押してアダプタインサート２８内に形成された円周方向の溝８６内に着座させ、半径方向に拡大されたスラストフランジ又は肩部６４０をその下方にあるアダプタソケット３２上に形成されたスラスト着座部６４２に固定して密接に保持する。バネ８２に対してカプリングスリーブ８０を後退させると、固定ボール８４は、スリーブ８０内に形成された円周方向溝８８と整列し、アダプタソケット３２からアダプタインサート２８を除去するのに十分なだけ、また、必要に応じてこれらの構成要素を組み立て直すのに十分なだけ半径方向外向きに変位可能になる。
【００３４】
図１５は、特にシャフト／ヘッド結合装置に適する別の固定手段の変形を示しており、図３及び４の圧縮ナット４４は省かれ、その代わりにクラブヘッド１６内に形成された下向きに開いた孔９０を貫通してアダプタインサート２８に装着される固定ボルト７４４が使用される。本発明のこのバージョンでは、アダプタインサート２８は、アダプタソケット３２の上端部にあるスラスト着座部４２上に着座してこれを保持するためのスラストフランジ４０を含む。更に、アダプタインサート２８は、アダプタソケット３２の底端部又は基端部において馴染み易いブッシュ５２内の中央孔５４に結合収容される変形突出ピン７５６を含む。しかし、変形突出ピン７５６は、ほぼスリーブ状に形成され、ヘッド孔９０内を上向きに延びる固定ボルト７４４のネジ付き軸部と螺合するための内ネジが切ってある。図に示すように、この孔９０は、固定ボルト７４４がネジ付きピン７５６内に締め付けられた時にボルトヘッド９４と係合するための肩部９２を形成する皿外端部又は下端部を含む。このように固定ボルト７４４は、スラストフランジ４０をスラスト着座部４２上に確実に引き付けて密接に保持する働きをし、他方、ピン７５６は、馴染み易いブッシュ５２と係合してアダプタインサート２８とアダプタソケット３２との間に第２の結合点を形成する。
【００３５】
図１６及び１７は、選択されたシャフト１４の上端部を、選択されたハンドグリップ２２を取り付けたハンドグリップセグメント２０に結合するために使用される一時的結合装置１８のための１つの好ましい構成を示す。これらの図に示すように、好ましい一時的結合装置１８は、図１〜１５に関連して上述したものと同じ２点式で相互結合した同じ構成要素を使用しており、図１６及び１７は、説明を容易かつ明瞭にするために、図３及び４の特定実施形態を示している。
【００３６】
図に示すように、アダプタインサート２８は、上述のものと同じ方式でシャフト１４の上端部に装着され、アダプタソケット３２は、選択された直径サイズ及びトレッドパターンなどを有するハンドグリップ２２を取り付けた菅状ハンドグリップセグメント２０の下端部内に上述のものと同じ方式で装着される。スラスト着座部４２に着座したスラストフランジ４０を引き付けて密接に保持するために、圧縮ナット４４は、アダプタソケット３２の雄ネジ４８上に螺合される。スラストフランジ４０をこのように着座して保持した状態で、ピン５６を含むアダプタインサート２８の突出部は、望ましい安定な２点結合を形成するために、アダプタソケット３２の基端部に装着されたブッシュ５２と係合してこれを部分的に圧縮する。この点に関して、図１７に示すように、ハンドグリップセグメント２０内に装着されたソケット部材３４の最上端部は、ブッシュ５２を定位置に支持して保持する逆転防止支持リップ部９６を形成するために半径方向内向きに曲げることができる。代替的に、ソケット部材３４の基端部は、支持リップ部９６の代わりに基部壁（図示せず）を形成するカップ形状を有することができる。
【００３７】
上述のシャフト／ハンドグリップセグメント結合装置１８の代替形態は、当業者には明らかであろう。特に、スラスト着座部上でのスラストフランジの保持、及びアダプタインサートの突出部つまり先端部と馴染み易いアンカー部材との係合を含む安定な２点結合をもたらすための開示した手段の任意の組合せを含む、上述のシャフト／ヘッド結合装置のどれでも使用することができる。
また、本発明のゴルフクラブのための改良された一時的シャフト／構成要素結合装置の様々な更なる修正及び改良形態が当業者には明らかであろう。例えば、本発明は、非金属クラブシャフト１４に関連させて示して説明したが、本発明を金属クラブシャフトにも利用することができることが認識され、かつ認められるであろう。従って、本発明は、特許請求の範囲に示すものを除いて、以上の説明及び添付図面によって何ら限定されないものとする。
【図面の簡単な説明】
【００３８】
【図１】本発明による一時的シャフト／構成要素結合装置により下端部においてウッドタイプクラブヘッドと結合され、本発明による一時的シャフト／構成要素結合装置により上端部においてハンドグリップセグメントと結合したゴルフクラブシャフトを有するゴルフクラブの斜視図である。
【図２】図１のゴルフクラブの下端部を示す拡大した切断斜視図である。
【図３】ゴルフクラブヘッドをゴルフクラブシャフトの下端部に取り付けるための一時的シャフト／構成要素結合装置を示す切断した分解組立斜視図である。
【図４】図２の線４−４にほぼ沿って取られた拡大した切断垂直断面図である。
【図５】図３と同様の切断した分解組立斜視図であるが、本発明の好ましい１つの代替形態を示す図である。
【図６】図５に示す実施形態のアセンブリを示す、図４と同様の拡大した切断垂直断面図である。
【図７】本発明の別の好ましい代替形態を示す、図４と同様の拡大した切断垂直断面図である。
【図８】本発明の更に別の好ましい代替形態を示す、図４と同様の拡大した切断垂直断面図である。
【図９】本発明の更に別の好ましい代替形態を示す、図４と同様の拡大した切断垂直断面図である。
【図１０】図９の実施形態に使用するための固定クリップを示す斜視図である。
【図１１】本発明の更に別の好ましい代替形態を示す、図４と同様の拡大した切断垂直断面図である。
【図１２】図１１の実施形態に使用するためのスナップリングの斜視図である。
【図１３】本発明の更に別の好ましい代替形態を示す、図４と同様の拡大した切断垂直断面図である。
【図１４】後退位置つまり解除位置にある迅速−結合−分離固定手段を示す、図１３の一部分に対応する切断した垂直断面図である。
【図１５】本発明の別の好ましい代替形態を示す、図４と同様の切断垂直断面図である。
【図１６】ハンドグリップセグメントをゴルフクラブシャフトの上端部上に取り付けるための一時的シャフト／構成要素結合装置を示す切断した分解組立斜視図である。
【図１７】図１の線１７−１７にほぼ沿って取られた拡大した切断垂直断面図である。
【符号の説明】
【００３９】
１２  一時的シャフト／構成要素結合装置
１４  クラブシャフト
１６  クラブヘッド
２４  ホーゼル
２８  アダプタインサート
３２  アダプタソケット
３６  内側スプライン
４４  圧縮ナット
５２  アンカー部材
【図１】
2005533626.tif 000003
【図２】
2005533626.tif 000004
【図３】
2005533626.tif 000005
【図４】
2005533626.tif 000006
【図５】
2005533626.tif 000007
【図６】
2005533626.tif 000008
【図７】
2005533626.tif 000009
【図８】
2005533626.tif 000010
【図９】
2005533626.tif 000011
【図１０】
2005533626.tif 000012
【図１１】
2005533626.tif 000013
【図１２】
2005533626.tif 000014
【図１３】
2005533626.tif 000015
【図１４】
2005533626.tif 000016
【図１５】
2005533626.tif 000017
【図１６】
2005533626.tif 000018
【図１７】
2005533626.tif 000019
【国際調査報告】
2005533626.tif 000020